(57)【要約】【課題】背表紙が背面に糊付けされている書籍にも適用でき、書籍を閉じた状態で背表紙側の上方から紙面上部を傷つけることなく容易に装着できる着脱式しおりを提供する。【解決手段】書籍に対して背表紙側の上方より装着される書籍装着具１０と、書籍装着具に必要数装入され、しおりとして使用されるしおり具２０とを備え、書籍装着具は、丸線材を一定幅を有する逆Ｕ字１０ａに形成させ、一方の先端部には、書籍を閉じた状態で紙面上部を傷つけることなく紙面間に挿入可能なように、線材を逆Ｕ字の平面と同一平面の外側に湾曲させた紙面挿入部１０ｂを有し、他方の先端部には、書籍の背表紙にフィットするように、逆Ｕ字の平面と直交する方向に固定された背面固定部１０ｃを有するものであり、しおり具は、書籍装着具の線材を挿通させるリング状固定部２２と、書籍の希望するページに挟み込むためのしおり紐２４と、メモ用紙２６とを有するものである。【選択図】図１
2009045837.tif 000002
【特許請求の範囲】
【請求項１】
書籍に対して背表紙側の上方より装着される書籍装着具と、前記書籍装着具に必要数装入され、しおりとして使用されるしおり具とを備えた着脱式のしおりであって、
前記書籍装着具は、略円形の断面を有する線材を一定の幅を有する逆Ｕ字型に形成させたものであって、一方の先端部には、書籍を閉じた状態で紙面上部を傷つけることなく紙面間に挿入可能なように、前記線材を前記逆Ｕ字型が含まれる平面と同一平面内の外側に湾曲させた紙面挿入部を有し、他方の先端部には、書籍の背表紙にフィットするように、前記逆Ｕ字型が含まれる平面と直交する方向に固定された背面固定部とを有するものであり、
前記しおり具は、前記書籍装着具の線材を挿通させるリング状固定部と、前記リング状固定部に接続され、書籍の希望するページに挟み込むためのしおり紐とを有する、
着脱式しおり。
【請求項２】
前記書籍装着具は、前記線材の直径が０．５ｍｍ〜０．８ｍｍである、請求項１に記載の着脱式しおり。
【請求項３】
前記書籍装着具は、前記逆Ｕ字型の先端側の線材間の幅が５ｍｍ〜７ｍｍである、請求項１に記載の着脱式しおり。
【請求項４】
前記書籍装着具は、前記背面固定部が前記線材の先端部を前記逆Ｕ字型が含まれる平面と直交する方向に折り曲げ加工したものである、請求項１ないし請求項３のいずれかに記載の着脱式しおり。
【請求項５】
前記書籍装着具は、前記背面固定部が装飾品であって、前記逆Ｕ字型の線材の先端部に装着されたときに前記装飾品が前記逆Ｕ字型が含まれる平面と直交する方向に固定される装飾品固定部を有する、請求項１ないし請求項３のいずれかに記載の着脱式しおり。
【請求項６】
前記書籍装着具は、前記背面固定部が前記逆Ｕ字型の基部から見て前記紙面挿入部よりも遠方に設けられ、書籍に装着する際に前記背面固定部を背表紙に沿ってガイドさせながら前記紙面挿入部を紙面間に挿入できるようにした、請求項１ないし請求項５のいずれかに記載の着脱式しおり。
【請求項７】
前記書籍装着具は、前記紙面挿入部を先端付近が基部と接するように周回させたものであって、装入されたしおり具の脱落を防止できるようにした、請求項１ないし請求項６のいずれかに記載の着脱式しおり。
【請求項８】
前記書籍装着具は、前記逆Ｕ字型の基部に周回部を形成し、前記しおり具を前記形成された周回部に装入することで、装入されたしおり具の脱落を防止できるようにした、請求項１ないし請求項６のいずれかに記載の着脱式しおり。
【請求項９】
前記しおり具は、メモ用紙を付け替え可能なように固定できるメモ用紙固定手段を有し、しおり紐に対応したメモを何度でも書き直すことができるようにした、請求項１ないし請求項８のいずれかに記載の着脱式しおり。
【請求項１０】
前記書籍装着具に装入される各しおり具は、それぞれ異なる色のしおり紐が使用され、前記各しおり具に固定されるメモ用紙には、しおり紐と同一色の色マークが設けられている、請求項９に記載の着脱式しおり。
【発明の詳細な説明】
【技術分野】
【０００１】
本願発明は、書籍、辞書、手帳、ノート等（本願ではこれらを総称して「書籍」と呼ぶ）のページ引きを容易にする「しおり」に関し、特に書籍の背表紙側に装着して複数のしおりが利用可能となる「着脱式しおり」に関する。
【背景技術】
【０００２】
一般に、背表紙の上部にあらかじめしおりが付属している書籍もあるが、コスト等の問題からしおりが付属されていない書籍も多数存在する。また、しおりが付属している書籍であっても、一度に多数のしおりを使用したい場合に充分な数のしおりが付属されていない場合も多い。
このようなことから、今でも書籍のページ引きのために紙製やプラスチック製のしおり片が多数利用されているが、かかるしおり片は使用中に脱落したり、使用しないときに紛失してしまうなどの問題があった。
【０００３】
このため、書籍に確実に装着できて再利用可能なしおりとして、従来より種々の着脱式しおりが提案されている。
例えば、特許文献１には、バネ性を有する棒状の軸の頭部に係止具を設け、該係止具を利用して１つ以上のしおりを接続したものであって、該軸を手帳に設けられた収納部にセットして使用する「着脱式しおり」が開示されている。
また、特許文献２には、しおり紐の端に輪を作り、クリップに差し込んだものであって、当該クリップにより書籍の表紙や背表紙を挟んで使用する「数を調節できるしおり」が開示されている。
また、特許文献３には、ヘヤーピン状のクリップやゼムクリップの頭部に複数本のしおり紐を連結したものであって、該クリップを書籍の表紙や背表紙に装着して使用する「着脱式しおり」が開示されている。
【０００４】
【特許文献１】実用新案登録第３１１３９５９号公報
【特許文献２】実用新案登録第３０１９５３７号公報
【特許文献３】特開２００３−１９６８号公報
【発明の開示】
【発明が解決しようとする課題】
【０００５】
しかしながら、特許文献１の「着脱式しおり」では、書籍側に着脱式しおりを収容するための収納部を設ける必要があり、しおりが付属されていない書籍等に対して簡便にしおりを付加するという目的には適さない。
【０００６】
一方、特許文献２の「数を調節できるしおり」や、特許文献３の「着脱式しおり」は、いずれもクリップにより表紙や背表紙を挟んで使用するものであるが、クリップを書籍の表紙に装着すると、書籍を積み上げたときや本棚に入れたときに他の書籍と交錯して外れたり、絡まったりするという問題がある。
また、クリップを背表紙に装着するためには、クリップにより背表紙を挟むことができなければならないが、背表紙が紙面の背に糊付けされている書籍には適用できない。
更には、背表紙が紙面の背に糊付けされている書籍の背表紙側に着脱式しおりを装着するためには、背表紙と紙面の内側とを挟み込んで固定する必要があるが、これを行うためにわざわざ書籍のいずれかのページを開いて装着するのは煩わしい作業であり、書籍を閉じた状態で背表紙側の上方から紙面上部を傷つけることなく装着できることが望まれる。
【０００７】
それゆえに、本願発明の目的は、背表紙が背面に糊付けされている書籍にも適用でき、書籍を閉じた状態で背表紙側の上方から紙面上部を傷つけることなく容易に装着できる着脱式しおりを提供することである。
【課題を解決するための手段】
【０００８】
本願発明の着脱式しおりは、書籍に対して背表紙側の上方より装着される書籍装着具と、前記書籍装着具に必要数装入され、しおりとして使用されるしおり具とを備えた着脱式のしおりであって、前記書籍装着具は、略円形の断面を有する線材を一定の幅を有する逆Ｕ字型に形成させたものであって、一方の先端部には、書籍を閉じた状態で紙面上部を傷つけることなく紙面間に挿入可能なように、前記線材を前記逆Ｕ字型が含まれる平面と同一平面内の外側に湾曲させた紙面挿入部を有し、他方の先端部には、書籍の背表紙にフィットするように、前記逆Ｕ字型が含まれる平面と直交する方向に固定された背面固定部とを有するものであり、前記しおり具は、前記書籍装着具の線材を挿通させるリング状固定部と、前記リング状固定部に接続され、書籍の希望するページに挟み込むためのしおり紐とを有するものである。
この発明によれば、書籍装着具は、略円形の断面を有する線材を一定の幅を有する逆Ｕ字型に形成させたものであって、一方の先端部に逆Ｕ字型が含まれる平面と同一平面の外側に湾曲させた紙面挿入部を設け、他方の先端部に逆Ｕ字型が含まれる平面と直交する方向に固定された背面固定部を設けたので、書籍を閉じた状態で、書籍の背表紙に背面固定部を当て、紙面挿入部を紙面間に挿入することで、容易に書籍に装着することができる。
かかる書籍装着具に、しおり紐が接続されたリング状固定部を有するしおり具を必要数装入し、書籍に対して背表紙側の上方から装着することで、当該書籍において希望する数のしおりを使用することができるようになる。
この発明の書籍装着具は、略円形の断面を有する線材の先端部を、挿入する紙面に沿って湾曲させた紙面挿入部を有するので、書籍を閉じた状態で紙面挿入部が紙面上部に押し当てられたときに、最初は点接触し、その後は紙面間の隙間が徐々に拡大して行くように作用する。このため、紙面挿入部は紙面間にスムーズに挿入され、書籍装着具を書籍に装着する際に紙面上部を傷つけないという特有の効果を奏する。
【０００９】
前記書籍装着具は、前記線材の直径が０．５ｍｍ〜０．８ｍｍであることが好ましい。
書籍装着具は、かかる直径の線材を用いることで、紙面挿入部を紙面間にスムーズに挿入できることが確認されている。
【００１０】
前記書籍装着具は、前記逆Ｕ字型の先端側の線材間の幅が５ｍｍ〜７ｍｍであることが好ましい。
書籍装着具は、かかる幅を有する逆Ｕ字型を形成することで、多くの書籍について、スムーズに装着でき、かつ装着後に容易に脱落しないことが確認されている。
【００１１】
前記書籍装着具は、前記背面固定部が前記線材の先端部を前記逆Ｕ字型が含まれる平面と直交する方向に折り曲げ加工したものでもよい。
これにより、略円形の断面を有する線材のみで書籍装着具を形成でき、コストダウンを図ることができる。
【００１２】
前記書籍装着具は、前記背面固定部が装飾品であって、前記逆Ｕ字型の線材の先端部に装着されたときに前記装飾品が前記逆Ｕ字型が含まれる平面と直交する方向に固定される装飾品固定部を有するものでもよい。
これにより、装飾品を背面固定部と兼用させることができ、書籍装着具を書籍に装着したときに、書籍の背表紙をユーザが希望する装飾品で装飾することが可能となる。
【００１３】
前記書籍装着具は、前記背面固定部が前記逆Ｕ字型の基部から見て前記紙面挿入部よりも遠方に設けられ、書籍に装着する際に前記背面固定部を背表紙に沿ってガイドさせながら前記紙面挿入部を紙面間に挿入できることが好ましい。
これにより、書籍装着具を書籍に装着する作業をより簡単・確実に行うことができる。
【００１４】
前記書籍装着具は、前記紙面挿入部を先端付近が基部と接するように周回させたものであって、装入されたしおり具の脱落を防止できるようにしたものでもよい。
これにより、装入されたしおり具が書籍装着具から脱落することを簡便に防止できる。
【００１５】
前記書籍装着具は、前記逆Ｕ字型の基部に周回部を形成し、前記しおり具を前記形成された周回部に装入することで、装入されたしおり具の脱落を防止できるようにしたものでもよい。
これにより、装入されたしおり具が書籍装着具の逆Ｕ字型の基部から散逸しないように保持できる。
【００１６】
前記しおり具は、メモ用紙を付け替え可能なように固定できるメモ用紙固定手段を有し、しおり紐に対応したメモを何度でも書き直すことができるようにしたものでもよい。
これにより、メモ用紙固定手段に新しいメモ用紙を付け替えることで、各しおり紐に対応したメモを何度でも書き直すことができる。
【００１７】
前記書籍装着具に装入される各しおり具は、それぞれ異なる色のしおり紐が使用され、前記各しおり具に固定されるメモ用紙には、しおり紐と同一色の色マークが設けられていることが好ましい。
これにより、しおり紐とメモ用紙の関係が一目瞭然となり、メモ用紙に記されたメモに対応するページを容易に開けることができる。
【発明の効果】
【００１８】
本願発明によれば、背表紙が背面に糊付けされている書籍にも適用でき、書籍を閉じた状態で背表紙側の上方から紙面上部を傷つけることなく容易に装着できるという効果がある。
【００１９】
本願発明の上述の目的，その他の目的，特徴および利点は、図面を参照して行う以下の発明を実施するための最良の形態の説明から一層明らかとなろう。
【発明を実施するための最良の形態】
【００２０】
図１に本願発明の一実施形態に係る着脱式しおりの概要を示す。
本願発明の着脱式しおりは、書籍に対して背表紙側の上方から装着して書籍に装着する書籍装着具１０と、書籍装着具１０に装入してしおり紐を提供するしおり具２０とから構成される。
書籍装着具１０は、略円形の断面を有する線材を１０ａのように一定の幅を有する逆Ｕ字型に形成させたものであって、一方の先端部は、逆Ｕ字型が含まれる平面と同一平面内を外側に湾曲させた紙面挿入部１０ｂを有し、他方の先端部は、逆Ｕ字型が含まれる平面と直交する方向に固定された背面固定部１０ｃを有する。
一方、しおり具２０は、書籍装着具１０の線材を挿通させるリング状固定部２２と、リング状固定部２２に対して接続コード２４ａを介して接続されるしおり紐２４と、しおり紐２４に対して接続コード２６ａを介して固定されるメモ用紙２６とを有する。
【００２１】
書籍装着具１０に使用する略円形の断面を有する線材は、例えばピアノ線のように、一定の形状が保持され、書籍に装着する際に必要な所定の弾性を有するものあればどのような材質のものでもよい。
線材の直径は、紙面挿入部１０ｂが書籍の上部から紙面間にスムーズに挿入できるためには、０．５〜０．８ｍｍの範囲であることが好ましく、ここでは０．６ｍｍとした。
【００２２】
逆Ｕ字型１０ａの幅（ア）は、多くの書籍に装着でき、装着後に容易に脱落しないためには、５〜７ｍｍの範囲であることが好ましく、ここでは６ｍｍとした。
また、書籍装着具の取扱性がよく、多くの書籍に安定に装着できるようにするため、紙面挿入部１０ｂ側の長さ（イ）を３０ｍｍ、背面固定部１０ｃ側の長さ（ウ）を４０ｍｍとしたが、これに限定されるものではない。
尚、この実施形態では、背面固定部１０ｃが紙面挿入部１０ｂよりも下方にあるので、背面固定部１０ｃを背表紙に当てながら書籍装着具１０を下降させることで紙面挿入部１０ｂが自然に紙面間に挿入され、誰でも容易に書籍装着具１０を書籍に装着できる。
【００２３】
紙面挿入部１０ｂは、逆Ｕ字型に形成された線材の一方の先端部を逆Ｕ字型が含まれる平面と同一平面内を外側向きに直径約６ｍｍで周回させ、先端付近を基部と接触させるようにしている。
この実施形態では、しおり具のリング状固定部２２を紙面挿入部１０ｂの先端から装入することで書籍装着具１０にしおり具２０をセットするものであり、書籍装着具１０にセットされたしおり具２０の脱落を防止するために、紙面挿入部の先端付近を基部に接触させている。
【００２４】
背面固定部１０ｃは、逆Ｕ字型に形成された線材の他方の先端部を逆Ｕ字型が含まれる平面と直交する方向に幅約７ｍｍの略菱形に折り曲げ加工したものであるが、書籍の背表紙にフィットするものである限りどのような形状でもよい。
また、背表紙が湾曲している書籍に対してもフィットするように、背面固定部を直径４０ｍｍの曲率で幅方向を湾曲させているが、これに限定されるものではない。
【００２５】
しおり具２０に用いるしおり紐２４は、通常のしおり紐によく用いられるリボンマーカーでよく、材質・幅・長さ・色は使用する目的に応じて自由に選定すればよい。
しおり紐の長さは、例えば２０ｃｍ、２５ｃｍ、３０ｃｍの３種類のものを揃え、使用する書籍に応じて選択するようにしてもよい。
また、しおり紐の色は、それぞれ異なる色で着色されたしおり紐を用いた複数のしおり具２０を揃えておき、目的に応じて使い分けるようにしてもよい。
【００２６】
しおり紐２４の接続コード２４ａは、リボン状のしおり紐をリング状固定部２２と接続するためのものであり、柔らかい糸状のものを用いることができる。
尚、しおり紐自体が細い糸状のものである場合には、しおり紐を直接リング状固定部に接続してもよい。
【００２７】
リング状固定部２２は、接続コード２４ａの終端をリング状に形成したものでもよい。
また、金属製または樹脂製のリングを用い、これに接続コード２４ａまたはしおり紐２４を接続するようにしてもよい。
【００２８】
この実施形態では、しおり具２０はしおり紐に対応してメモを記すことができるようにメモ用紙２６を備えている。メモ用紙２６は、先端部に抜け留め加工が設けられた接続コード２６ａに固定できるように、切り込み加工が設けられたものを使用する。
このように、メモ用紙を交換可能とすることで、何度でもしおり紐に対応した新しいメモを記すことができる。
【００２９】
メモ用紙２６には、色マーク表示部２６ｂが設けられ、しおり紐と同一色の色マークが付されたメモ用紙を使用する。これにより、メモ用紙としおり紐との対応が明確になり、メモ用紙に記された内容を見て、そのメモ用紙の色マークと同一色のしおり紐を選択することで対応するページを迅速に開くことができる。
【００３０】
この実施形態では、メモ用紙の接続コード２６ａは、しおり紐２４に接続されているが、これはメモ用紙の接続コードを引っ張ることで接続されているしおり紐が引っ張られ、対応するページを迅速に開くことができるようにしたものであり、リング状固定部２２から接続されるようにしてもよい。
【００３１】
図２は、本願発明の一実施形態に係る着脱式しおりを書籍の背表紙側の上方から装着する際の状況を図示したものである。尚、簡単のためメモ用紙の記載は省略している。
図に示すように、書籍装着具１０の書籍１への装着に先立って、しおり具２０のリング状固定具２２を書籍装着具１０の紙面挿入部１０ｂの先端から装入し、逆Ｕ字型の基部１０ａに必要数のしおり具２０をセットしておく。
書籍装着具１０の書籍１への装着は、背面固定部１０ｃを書籍の背表紙に当てながら、紙面挿入部１０ｂを書籍の上方から下降させると、紙面挿入部１０ｂが紙面の上部に接触し、最初に紙面挿入部１０ｂの湾曲部の最下点が紙面の上部に接触して紙面間に隙間が形成され、更に下降させることで、紙面間の隙間が紙面挿入部１０ｂに沿って徐々に押し広げられ、紙面挿入部１０ｂが紙面内にスムーズに挿入されて行く。
これにより、背面固定部１０ｃと紙面挿入部１０ｂとの間に書籍の背面部が挟み込まれて容易には抜け落ちなくなり、書籍装着具１０に装入されたしおり具２０のしおり紐２４を当該書籍の専用のしおりとして自由に使用できるようになる。
【００３２】
図３に、書籍装着具１０に装入されたしおり具２０の脱落を防止する他の実施形態を例示する。
図３（ａ）は、紙面挿入部１０ｂの先端部を、逆Ｕ字型が含まれる平面と同一平面の外側に向かって周回させ、終端部を逆方向に湾曲させて先端付近を基部と接触させるようにしたものである。
図３（ｂ）は、逆Ｕ字型の基部１０ａに周回部１０ｄを形成し、形成された周回部１０ｄにしおり具２０のリング状固定部２２を装入することで脱落防止を図ったものである。
図３（ｃ）は、逆Ｕ字型の基部１０ａにしおり具２０のリング状固定部２２を装入した後に、基部１０ａの両側に着脱式の抜け留めリングを装着することで脱落防止を図ったものである。
尚、図３（ｂ）（ｃ）の場合には、固有の脱落防止手段を有するので、紙面挿入部１０ｂは、周回させて先端付近を基部に接触させる必要はなく、単に逆Ｕ字型が含まれる平面と同一平面の外側に湾曲させただけでよい。
【００３３】
上記実施形態では、しおり具２０のリング状固定部２２は、書籍装着具１０の一方の先端から装入させるものとして説明したが、リング状固定部に、書籍装着具の逆Ｕ字型の基部に対して直接装入させるための開閉機構や弾性手段を備えるようにしてもよい。
【００３４】
図４に、書籍装着具１０の背面固定部１０ｃを装飾品とした実施形態の例を示す。
この実施形態は、書籍装着具１０の背面固定部１０ｃにハート型の装飾品３０を装着したものである。
この場合の背面固定部１０ｃは、先端部に装飾品の向きを固定するための突起１０ｄが設けられている。
一方、装飾品の裏面には、背面固定部１０ｃの先端部が挿入される丸穴を有する装飾品固定部３２が備えられ、この丸穴には、背面固定部１０ｃの先端部が挿入されたときに先端部の突起１０ｄが嵌合し、装飾品の向きが書籍装着具１０の逆Ｕ字型が含まれる平面に直交する方向に固定されるように、凹部が設けられている。
また、装飾品固定部３２が備えられた装飾品３０は、装飾品の両側と装飾品固定部が同一平面になるように湾曲させており、書籍の背表紙に安定に固定されるようにしている。
【００３５】
上記実施形態では、背面固定部側に突起を設け、装飾品固定部側に窪みを設けるものとして説明したが、背面固定部側に窪みを設け、装飾品固定部側に突起を設けてもよい。
また、書籍装着具の背面固定部に、装飾品を逆Ｕ字型が含まれる平面と直交する方向に固定できる装飾品固定部を設け、これに装飾品を装着するようにしてもよい。
【００３６】
上記実施形態では、装飾品は、ハート型マークを例にとって説明したが、書籍に装着したときに背表紙にフィットするものである限りどのような形状のものでもよく、キャラクター等を含めて種々の形状の装飾品をあらかじめ準備しておき、利用者の嗜好に合わせて自由に選択できるようにしてもよい。
【００３７】
上記実施形態では、本願発明の着脱式しおりは、背表紙が紙面の背に糊付けされている書籍に適用できることを特徴としているが、背表紙と紙面の背との間が離れている書籍にも適用可能であることはいうまでもない。
【産業上の利用可能性】
【００３８】
以上のように、本願発明によれば、背表紙が背面に糊付けされている書籍にも適用でき、書籍を閉じた状態で背表紙側の上方から紙面上部を傷つけることなく容易に装着できる着脱式しおりが提供される。
尚、本願発明は上述した実施形態に限定されるものではなく、本願発明の効果を奏する限り、実施形態で述べた構成要素を適宜入れ替えたり、新たな構成要素を追加したり、一部の構成要素を削除したりしてもよいことはいうまでもない。
【図面の簡単な説明】
【００３９】
【図１】本願発明の一実施形態に係る着脱式しおりを示す図解図である。
【図２】本願発明の一実施形態に係る着脱式しおりを書籍の背表紙側の上方から装着する際の状況を示す図解図である。
【図３】本願発明の一実施形態に係る着脱式しおりにおいて、しおり具の脱落を防止する他の実施形態を例示した図である。
【図４】本願発明の一実施形態に係る着脱式しおりにおいて、背面固定部を装飾品とした場合の実施形態の例を示す図である。
【符号の説明】
【００４０】
１０  書籍装着具
１０ａ  逆Ｕ字に形成された略円形の断面を有する線材
１０ｂ  紙面挿入部
１０ｃ  背面固定部
２０  しおり具
２２  リング状固定部
２４  しおり紐
２４ａ  しおり紐接続コード
２６  メモ用紙
２６ａ  メモ用紙接続コード
２６ｂ  メモ用紙色マーカ（しおり紐の色と同一色）
３０  装飾品
３２  装飾品固定部
【図１】
2009045837.tif 000003
【図２】
2009045837.tif 000004
【図３】
2009045837.tif 000005
【図４】
2009045837.tif 000006